(57)【要約】【課題】第２交換部品が装着されているときに、第１交換部品が装着された外部機で画像が形成されたシートを取得することができる画像形成装置を提供する。【解決手段】外部機２００、３００と通信可能な画像形成装置１００である。画像形成装置１００は、装着部２１と作成部１２と取得部１４と表示部３０と表示制御部１３とを備える。装着部２１は、交換部品Ｃが装着される。作成部１２は、画像形成装置１００の状態を示す情報を作成する。取得部１４は、外部機２００、３００の状態を示す情報を取得する。第１状態は、第１交換部品Ｃ１が装着されている状態である。第２状態は、第１交換部品Ｃ１と異なる第２交換部品Ｃ２が装着されている状態である。画像形成装置１００の状態を示す情報が第２状態を示すときには、表示制御部１３は、外部機２００、３００の状態を示す情報に基づいて表示部３０を制御する。【選択図】図５
2020023099.tif 000002
【特許請求の範囲】
【請求項１】
外部機と通信可能な画像形成装置であって、
交換部品が装着される装着部と、
前記画像形成装置の状態を示す情報を作成する作成部と、
前記外部機の状態を示す情報を取得する取得部と、
表示部と、
前記表示部を制御する表示制御部と
を備え、
前記画像形成装置の状態と前記外部機の状態との各々は、第１状態と第２状態との双方を含み、
前記第１状態は、第１交換部品が装着されている状態であり、
前記第２状態は、前記第１交換部品と異なる第２交換部品が装着されている状態であり、
前記画像形成装置の状態を示す情報が前記第２状態を示すときには、前記表示制御部は、前記外部機の状態を示す情報に基づいて前記表示部を制御する、画像形成装置。
【請求項２】
前記取得部は、複数の前記外部機の各々から前記外部機の状態を示す情報を取得する、請求項１に記載の画像形成装置。
【請求項３】
前記表示部は、画像形成の実行操作を示す第１所定画像を表示し、
前記外部機の状態を示す情報が前記第１状態を示すときには、前記表示制御部は、前記第１所定画像を縮小するように、前記表示部を制御する、請求項１又は請求項２に記載の画像形成装置。
【請求項４】
前記表示部は、画像形成の実行操作を示す第１所定画像を表示し、
前記外部機の状態を示す情報が前記第１状態を示すときには、前記表示制御部は、前記第１所定画像を非表示とするように、前記表示部を制御する、請求項１又は請求項２に記載の画像形成装置。
【請求項５】
前記表示部は、通信操作を示す第２所定画像を表示し、
前記外部機の状態を示す情報が前記第１状態を示すときには、前記表示制御部は、前記第２所定画像を強調するように、前記表示部を制御する、請求項１又は請求項２に記載の画像形成装置。
【請求項６】
前記外部機の状態を示す情報が前記第１状態を示すときには、前記表示制御部は、前記外部機との通信操作を示す第３所定画像を表示するように、前記表示部を制御する、請求項１から請求項５のいずれか１項に記載の画像形成装置。
【請求項７】
前記外部機の状態を示す情報が前記第１状態を示すときには、前記表示制御部は、前記外部機の所在を示す情報を表示するように、前記表示部を制御する、請求項１から請求項６のいずれか１項に記載の画像形成装置。
【発明の詳細な説明】
【技術分野】
【０００１】
本発明は、画像形成装置に関する。
【背景技術】
【０００２】
画像形成装置には、交換式カートリッジ（交換部品）が装着されている。交換式カートリッジは、専用カートリッジ（第１交換部品）及び専用カートリッジと異なるカートリッジ（第２交換部品）のうちのいずれかである。ある画像形成装置は、装着されている交換式カートリッジが専用カートリッジであるか否かを判定する。例えば、特許文献１に記載の画像形成装置は、専用カートリッジが装着されていないと判定したときに、専用カートリッジが装着されていないことを示すメッセージを表示部に表示させている。
【先行技術文献】
【特許文献】
【０００３】
【特許文献１】特開２００５−３２６７３１号公報
【発明の概要】
【発明が解決しようとする課題】
【０００４】
しかしながら、特許文献１に記載の画像形成装置では、第２交換部品が装着されていると、第１交換部品が装着された画像形成装置で画像が形成されたシートを取得することができなかった。
【０００５】
本発明は上記課題に鑑みてなされたものであり、第２交換部品が装着されているときに、第１交換部品が装着された外部機で画像が形成されたシートを取得することができる画像形成装置を提供することを目的とする。
【課題を解決するための手段】
【０００６】
本発明に係る画像形成装置は、外部機と通信可能である。画像形成装置は、装着部と作成部と取得部と表示部と表示制御部とを備える。装着部は、交換部品が装着される。作成部は、画像形成装置の状態を示す情報を作成する。取得部は、外部機の状態を示す情報を取得する。表示制御部は、表示部を制御する。画像形成装置の状態と外部機の状態との各々は、第１状態と第２状態との双方を含む。第１状態は、第１交換部品が装着されている状態である。第２状態は、第１交換部品と異なる第２交換部品が装着されている状態である。画像形成装置の状態を示す情報が第２状態を示すときには、表示制御部は、外部機の状態を示す情報に基づいて表示部を制御する。
【発明の効果】
【０００７】
本発明の画像形成装置によれば、第２交換部品が装着されているときに、第１交換部品が装着された外部機で形成されたシートを取得することができる。
【図面の簡単な説明】
【０００８】
【図１】本実施形態に係る画像形成システムの構成の一例を示す図である。
【図２】本実施形態に係る画像形成装置を示す構成図である。
【図３】本実施形態に係る画像形成装置を示すブロック図である。
【図４】本実施形態に係る操作画像を示す図である。
【図５】本実施形態に係る操作画像を示す図である。
【図６】本実施形態に係る制御部の処理を示すフローチャートである。
【図７】本実施形態に係る操作画像を示す図である。
【図８】本実施形態に係る操作画像を示す図である。
【図９】本実施形態に係る操作画像を示す図である。
【発明を実施するための形態】
【０００９】
以下、本発明の実施形態について、図面を参照しながら説明する。なお、図中、同一又は相当部分については同一の参照符号を付して説明を繰り返さない。
【００１０】
まず、図１を参照して、本発明の実施形態に係る画像形成システム１の構成について説明する。図１は、本実施形態に係る画像形成システム１の構成の一例を示す図である。図１に示すように、画像形成システム１は、複数の画像形成装置１００、２００、３００を備える。
【００１１】
画像形成装置１００は、例えば、フロアの中央に配置されている。画像形成装置２００は、例えば、フロアの右隅に配置されている。画像形成装置３００は、例えば、フロアの左隅に配置されている。画像形成装置１００と画像形成装置２００と画像形成装置３００とは、ユーザーが移動することが可能な所定範囲に配置されている。ユーザーは画像形成装置１００と画像形成装置２００と画像形成装置３００とのうちからいずれかを選択して使用する。画像形成装置１００と画像形成装置２００と画像形成装置３００との各々は、例えばネットワークＮを介して、お互いに通信可能に構成される。ネットワークＮは、例えばＬＡＮ（Ｌｏｃａｌ  Ａｒｅａ  Ｎｅｔｗｏｒｋ）である。
【００１２】
次に、図２及び図３を参照して、本発明の実施形態に係る画像形成装置１００の構成を説明する。図２は、本実施形態に係る画像形成装置１００を示す構成図である。図３は、本実施形態に係る画像形成装置１００を示すブロック図である。なお、画像形成装置２００及び画像形成装置３００は、画像形成装置１００と同様の構成であるので、画像形成装置１００のみについて説明する。画像形成装置１００は、例えば、複写機、プリンター又は複合機である。以下では、一例として、画像形成装置１００がプリンター機能と複写機能とファクシミリ機能とを有するモノクロ複合機である場合について説明する。本明細書では、画像形成装置２００及び画像形成装置３００は外部機として機能する。
【００１３】
図２及び図３に示すように、画像形成装置１００は、制御部１０、補給部２０、表示部３０、記憶部５０、通信部６０、原稿読取部７０、画像形成ユニット８０、給送部９０、搬送部９１及び排出部９２を備える。
【００１４】
原稿読取部７０は、原稿Ｇの画像を読み取る。給送部９０は、複数のシートＳを収容し、搬送部９１へシートＳを給送する。シートＳは、例えば、紙製又は合成樹脂製のシートである。搬送部９１は、複数の搬送ローラー対を含み、画像形成ユニット８０にシートＳを搬送する。画像形成ユニット８０は、消耗品ＣＴを消費することによってシートＳに画像を形成する。
【００１５】
詳しくは、画像形成ユニット８０は、電子写真方式によってシートＳに印刷画像を形成し、印刷画像を加熱及び加圧してシートＳに印刷画像を定着させる。具体的には、画像形成ユニット８０は、感光体ドラムと、帯電装置と、露光装置と、現像装置と、転写装置と、クリーニング装置と、除電装置と、定着装置とを含む。
【００１６】
搬送部９１は、印刷画像の定着されたシートＳを排出部９２に搬送する。排出部９２は画像形成装置１００の外部にシートＳを排出する。
【００１７】
補給部２０は、装着部２１と部品読取部２２とを含む。補給部２０は、交換部品Ｃ内の消耗品ＣＴを画像形成ユニット８０に供給する。装着部２１には、交換部品Ｃが着脱可能に装着される。
【００１８】
交換部品Ｃは、例えば、トナーコンテナである。交換部品Ｃの内部には、消耗品ＣＴが収容されている。消耗品ＣＴは、例えば、画像形成ユニット８０に供給されるトナー（例えば、ブラック色）である。交換部品Ｃの外部には、記憶素子ＣＭが取り付けられている。
【００１９】
交換部品Ｃは、第１交換部品Ｃ１又は第２交換部品Ｃ２である。第１交換部品Ｃ１は、例えば、画像形成装置１００の専用品である。第２交換部品Ｃ２は、例えば、専用品と異なる交換部品である。例えば、第２交換部品Ｃ２の内部に収容されるトナーの特性は、第１交換部品Ｃ１の内部に収容されるトナーの特性よりも劣る。その結果、第２交換部品Ｃ２で形成された印刷画像の画質は、第１交換部品Ｃ１で形成された印刷画像の画質よりも劣る。
【００２０】
記憶素子ＣＭは、例えば、無線タグ（ＲＦタグ）である。記憶素子ＣＭには、第１交換部品Ｃ１又は第２交換部品Ｃ２に関する交換部品情報が記憶されている。交換部品情報は、例えば、製造元情報、型式番号、製造ロット番号又は消耗品ＣＴの特性である。部品読取部２２は、例えば、ＲＦリーダーである。部品読取部２２は、交換部品Ｃが装着部２１に装着されると、記憶素子ＣＭに記憶されている交換部品情報を読み取る。部品読取部２２は、交換部品情報を制御部１０に送信する。従って、記憶素子ＣＭを用いて、第１交換部品Ｃ１であるか、或いは、第２交換部品Ｃ２であるかを制御部１０は判定することができる。
【００２１】
表示部３０は、ＬＣＤ（Ｌｉｑｕｉｄ  Ｃｒｙｓｔａｌ  Ｄｉｓｐｌａｙ）を含む。また、表示部３０は、タッチパネル機能を組み合わせたタッチパネルユニットを備える。表示部３０には、制御部１０による制御の下で、種々の操作画像が表示される。表示部３０によれば、ユーザーが操作画像をタッチ（押圧）することで、種々の実行指令が制御部１０に入力される。
【００２２】
通信部６０は、ネットワークＮを介して画像形成装置２００及び画像形成装置３００と通信可能に接続される。
【００２３】
記憶部５０は、ＨＤＤ（Ｈａｒｄ  Ｄｉｓｋ  Ｄｒｉｖｅ）、ＲＡＭ（Ｒａｎｄｏｍ  Ａｃｃｅｓｓ  Ｍｅｍｏｒｙ）、及び、ＲＯＭ（Ｒｅａｄ  Ｏｎｌｙ  Ｍｅｍｏｒｙ）によって構成される。記憶部５０は、外部メモリーを含んでいてもよい。外部メモリーは、リムーバブルメディアである。記憶部５０は、外部メモリーとして、例えば、ＵＳＢ（Ｕｎｉｖｅｒｓａｌ  Ｓｅｒｉａｌ  Ｂｕｓ）メモリー、及び、ＳＤ（Ｓｅｃｕｒｅ  Ｄｉｇｉｔａｌ）カードを含む。記憶部５０は、各種のデータ（例えば、制御プログラム及び交換部品情報）を記憶する。制御プログラムは、制御部１０によって実行される。
【００２４】
制御部１０は、ＣＰＵ（Ｃｅｎｔｒａｌ  Ｐｒｏｃｅｓｓｉｎｇ  Ｕｎｉｔ）のようなプロセッサー、及び、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）のようなハードウェア回路である。
【００２５】
制御部１０は、記憶部５０に記憶された制御プログラムを実行することによって、画像形成部１１、作成部１２、表示制御部１３及び取得部１４として機能する。
【００２６】
画像形成部１１は、操作画像から入力された種々の実行指令に基づいて画像をシートＳに形成する。
【００２７】
作成部１２は、部品読取部２２で取得された交換部品情報に基づいて、画像形成装置１００の状態を示す情報を作成する。部品読取部２２で取得された交換部品情報が第１交換部品Ｃ１に関する交換部品情報であれば、画像形成装置１００の状態を示す情報は、第１状態を示す。つまり、第１状態は、第１交換部品Ｃ１が装着部２１に装着されている状態を示す。一方、部品読取部２２で取得された交換部品情報が第２交換部品Ｃ２に関する交換部品情報であれば、画像形成装置１００の状態を示す情報は、第２状態を示す。つまり、第２状態は、第２交換部品Ｃ２が装着されている状態を示す。すなわち、画像形成装置１００の状態は、第１状態と第２状態との双方を含みうる。
【００２８】
取得部１４は、ネットワークＮを介して画像形成装置２００及び画像形成装置３００から各種のデータを受信する。また、取得部１４は、ネットワークＮを介して画像形成装置２００及び画像形成装置３００に各種のデータを送信する。各種のデータは、例えば、画像形成装置１００の状態を示す情報と、画像形成装置２００の状態を示す情報と、画像形成装置３００の状態を示す情報と、画像情報とである。取得部１４が、画像形成装置２００の状態を示す情報及び画像形成装置３００の状態を示す情報を受信するタイミングとしては、例えば、画像形成装置１００の主電源が入れられたとき、又は、画像形成装置２００或いは画像形成装置３００で交換部品Ｃが交換されたときである。その結果、画像形成装置１００は、適切なタイミングで画像形成装置２００の状態を示す情報或いは画像形成装置３００の状態を示す情報を取得することができる。
【００２９】
画像形成装置２００の状態を示す情報は、画像形成装置２００が備える作成部１２で作成される。画像形成装置１００は、画像形成装置２００の状態を示す情報が第１状態を示すか又は第２状態を示すかを判定することによって、画像形成装置２００に第１交換部品Ｃ１が装着されているか否かを判定することができる。すなわち、画像形成装置２００の状態は、第１状態と第２状態との双方を含みうる。また、画像形成装置３００の状態を示す情報は、画像形成装置３００が備える作成部１２で作成される。画像形成装置１００は、画像形成装置３００の状態を示す情報が第１状態を示すか又は第２状態を示すかを判定することによって、画像形成装置３００に第１交換部品Ｃ１が装着されているか否かを判定することができる。すなわち、画像形成装置３００の状態は、第１状態と第２状態との双方を含みうる。
【００３０】
画像情報は、画像データを示す。従って、画像形成装置２００及び画像形成装置３００のいずれかから画像情報を受信することによって、画像形成装置１００で画像をシートＳに形成することができる。また、画像形成装置１００の画像情報を画像形成装置２００及び画像形成装置３００のいずれかに送信することによって、画像形成装置２００及び画像形成装置３００のいずれかで画像をシートＳに形成することができる。
【００３１】
表示制御部１３は、画像形成装置１００の状態を示す情報と画像形成装置２００の状態を示す情報と画像形成装置３００の状態を示す情報とに基づいて操作画像４０を表示部３０に表示するように、表示部３０を制御する。
【００３２】
図４及び図５を参照して、本実施形態に係る操作画像４０Ａ及び操作画像４０Ｂについて説明する。図４は、本実施形態に係る操作画像４０Ａを示す図である。図５は、本実施形態に係る操作画像４０Ｂを示す図である。表示部３０は、操作画像４０Ａ及び操作画像４０Ｂのうちのいずれかを初期操作画像として表示する。
【００３３】
図４に示すように、操作画像４０Ａは、アイコン４０ａ〜４０ｃを含む。アイコン４０ａは、「コピー」アイコン（第１所定画像）を示し、アイコン４０ｂは、「送信」アイコン（第２所定画像）を示し、アイコン４０ｃは、「ファックス」アイコンを示す。
【００３４】
アイコン４０ａ〜４０ｃの各々は、操作キー画像であり、ユーザーから入力操作を受け付ける。例えば、アイコン４０ａは、コピー動作（画像形成の実行）を開始させる指示をユーザーから受け付ける。アイコン４０ｂは、送信動作（通信）を開始させる指示をユーザーから受け付ける。アイコン４０ｃは、ファックス動作を開始させる指示をユーザーから受け付ける。
【００３５】
操作画像４０Ａは、フォルダー４１ａ〜４１ｄを更に含む。フォルダー４１ａは、「ジョブボックス」フォルダーを示し、フォルダー４１ｂは、「外部メモリー」フォルダーを示し、フォルダー４１ｃは、「Ｆコードボックス」フォルダーを示し、フォルダー４１ｄは、「ボーリングボックス」フォルダーを示す。フォルダー４１ａ〜４１ｄの各々は、各種のデータを整理して保存する入れ物である。
【００３６】
表示制御部１３が操作画像４０Ａを表示する場合は、画像形成装置１００と画像形成装置２００と画像形成装置３００との状態が状態Ｘ１又は状態Ｘ２である。
【００３７】
初めに状態Ｘ１について説明する。状態Ｘ１は、画像形成装置１００の状態が第１状態であり、画像形成装置２００の状態及び画像形成装置３００の状態は第１状態であるか第２状態であるかを問わない。画像形成装置１００には、第１交換部品Ｃ１が装着されている。従って、ユーザーは、画像形成装置１００で高画質の印刷画像が形成されたシートＳを取得することができる。その結果、ユーザーは、アイコン４０ａを押圧することで、画像形成装置１００で作成されたシートＳを取得する。
【００３８】
次に状態Ｘ２について説明する。状態Ｘ２は、画像形成装置１００の状態が第２状態であり、画像形成装置２００の状態及び画像形成装置３００の状態の双方が第２状態である。画像形成装置１００には、第２交換部品Ｃ２が装着されている。従って、ユーザーは、画像形成装置１００で高画質の印刷画像が形成されたシートＳを取得することができない。また、画像形成装置２００及び画像形成装置３００の双方にも、第２交換部品Ｃ２が装着されている。従って、ユーザーは、画像形成装置２００及び画像形成装置３００の双方でも高画質の印刷画像が形成されたシートＳを取得することができない。その結果、ユーザーは、アイコン４０ａを押圧して、画像形成装置１００で低画質の印刷画像が形成されたシートＳを取得するか、或いは、高画質の印刷画像が形成されたシートＳを取得することができないので、画像情報を端末装置で確認するため、アイコン４０ｂを押圧することで、画像形成装置１００から端末装置に画像情報を送信する。
【００３９】
表示制御部１３が操作画像４０Ｂを表示する場合は、画像形成装置１００と画像形成装置２００と画像形成装置３００との状態が状態Ｙ１、状態Ｙ２又は状態Ｙ３である。図５に示すように、アイコン４０ａ’が、図４に示すアイコン４０ａと比較すると縮小して表示されている。
【００４０】
初めに状態Ｙ１について説明する。状態Ｙ１は、画像形成装置１００の状態が第２状態であり、画像形成装置２００の状態が第２状態であり、画像形成装置３００の状態が第１状態である。画像形成装置１００には、第２交換部品Ｃ２が装着されている。従って、ユーザーは、画像形成装置１００で高画質の印刷画像が形成されたシートＳを取得することができない。しかし、画像形成装置３００には、第１交換部品Ｃ１が装着されている。その結果、ユーザーは、アイコン４０ａ’を押圧して、画像形成装置１００でシートＳを取得するか、或いは、アイコン４０ｂを押圧することで、画像形成装置３００に画像情報を送信するかを選択することができる。画像形成装置３００は、画像情報を受信すると、画像をシートＳに形成する。ユーザーは、画像形成装置３００の所に行くことで、高画質の印刷画像が形成されたシートＳを取得することができる。なお、操作画像４０Ｂ中に画像形成装置３００の所在を示す情報を表示してもよい。その結果、ユーザーは、画像形成装置３００の所に迷わず行くことができる。
【００４１】
次に状態Ｙ２について説明する。状態Ｙ２は、画像形成装置１００の状態が第２状態であり、画像形成装置２００の状態が第１状態であり、画像形成装置３００の状態が第２状態である。画像形成装置１００には、第２交換部品Ｃ２が装着されている。従って、ユーザーは、画像形成装置１００で高画質の印刷画像が形成されたシートＳを取得することができない。しかし、画像形成装置２００には、第１交換部品Ｃ１が装着されている。その結果、ユーザーは、アイコン４０ａ’を押圧して、画像形成装置１００でシートＳを取得するか、或いは、アイコン４０ｂを押圧することで、画像形成装置２００に画像情報を送信するかを選択することができる。画像形成装置２００は、画像情報を受信すると、画像をシートＳに形成する。ユーザーは、画像形成装置２００の所に行くことで、高画質の印刷画像が形成されたシートＳを取得することができる。なお、操作画像４０Ｂ中に画像形成装置２００の所在を示す情報を表示してもよい。その結果、ユーザーは、画像形成装置２００の所に迷わず行くことができる。
【００４２】
次に状態Ｙ３について説明する。状態Ｙ３は、画像形成装置１００の状態が第２状態であり、画像形成装置２００の状態及び画像形成装置３００の状態の双方が第１状態である。画像形成装置１００には、第２交換部品Ｃ２が装着されている。従って、ユーザーは、画像形成装置１００で高画質の印刷画像が形成されたシートＳを取得することができない。しかし、画像形成装置２００及び画像形成装置３００の両方には、第１交換部品Ｃ１が装着されている。その結果、ユーザーは、アイコン４０ａ’を押圧して、画像形成装置１００でシートＳを取得するか、或いは、アイコン４０ｂを押圧することで、画像形成装置２００又は画像形成装置３００に画像情報を送信するかを選択することができる。画像形成装置２００及び画像形成装置３００のいずれかは、画像情報を受信すると、画像をシートＳに形成する。ユーザーは、画像形成装置２００及び画像形成装置３００のいずれかの所に行くことで、高画質の印刷画像が形成されたシートＳを取得することができる。なお、操作画像４０Ｂ中に、画像情報を送信した画像形成装置の所在を示す情報を表示してもよい。その結果、ユーザーは、画像情報を送信した画像形成装置の所に迷わず行くことができる。
【００４３】
次に、図６を参照して、本実施形態に係る制御部１０の処理について説明する。図６は、本実施形態に係る制御部１０の処理を示すフローチャートである。制御部１０の処理は、ステップＳ１０１〜ステップＳ１０５を含む。
【００４４】
ステップＳ１０１において、表示制御部１３は、画像形成装置１００の状態を示す情報を取得し画像形成装置１００の状態を示す情報が第１状態及び第２状態のうちのいずれの状態を示すかを判定する。画像形成装置１００の状態を示す情報が第１状態を示すと表示制御部１３が判定した場合（ステップＳ１０１で第１状態）には、処理がステップＳ１０２に進む。
【００４５】
ステップＳ１０２において、表示制御部１３は、操作画像４０Ａを表示部３０に表示し、処理が終了する。一方、画像形成装置１００の状態を示す情報が第２状態を示すと表示制御部１３が判定した場合（ステップＳ１０１で第２状態）には、処理がステップＳ１０３に進む。
【００４６】
ステップＳ１０３において、取得部１４は、ネットワークＮを介して画像形成装置２００の状態を示す情報及び画像形成装置３００の状態を示す情報の両方を取得する。取得部１４が情報を取得すると、処理がステップＳ１０４に進む。
【００４７】
ステップＳ１０４において、画像形成装置２００の状態を示す情報及び画像形成装置３００の状態を示す情報の各々が第１状態及び第２状態のうちのいずれの状態を示すかを表示制御部１３は判定する。画像形成装置２００の状態を示す情報及び画像形成装置３００の状態を示す情報のうちのいずれかが第１状態を示すと表示制御部１３が判定した場合（ステップＳ１０４で第１状態）には、処理がステップＳ１０５に進む。
【００４８】
ステップＳ１０５において、表示制御部１３は、操作画像４０Ｂを表示部３０に表示し、処理が終了する。画像形成装置２００の状態を示す情報及び画像形成装置３００の状態を示す情報の両方が第２状態を示すと表示制御部１３が判定した場合（ステップＳ１０４で第２状態）には、処理がステップＳ１０２に進む。
【００４９】
以上、図１〜図６を参照して説明したように、本実施形態によれば、画像形成装置１００に第２交換部品Ｃ２が装着されているときに、第１交換部品Ｃ１が装着された画像形成装置２００、又は、第１交換部品Ｃ１が装着された画像形成装置３００が存在していれば、高画質の印刷画像が形成されたシートＳを取得することができる。
【００５０】
以上、図面（図１〜図６）を参照しながら本発明の実施形態を説明した。但し、本発明は、本実施形態に限られるものではなく、その要旨を逸脱しない範囲で種々の態様において実施することが可能である（例えば、下記に示す（１）〜（５））。図面は、理解しやすくするために、それぞれの構成要素を主体に模式的に示しており、図示された各構成要素の厚み、長さ、個数、間隔等は、図面作成の都合上から実際とは異なる。また、本実施形態で示す各構成要素の材質、形状、寸法等は一例であって、特に限定されるものではなく、本発明の構成から実質的に逸脱しない範囲で種々の変更が可能である。
【００５１】
（１）本実施形態では、状態Ｙ１、状態Ｙ２又は状態Ｙ３の場合に、アイコン４０ａ'が縮小して表示された。ただし、アイコン４０ａは消滅したり点滅したりして表示されてもよい。図７は、本実施形態に係る操作画像４０Ｃを示す図である。図７に示すように、アイコン４０ａが表示されていない。その結果、ユーザーは、アイコン４０ａを押圧できずに、アイコン４０ｂを押圧することで、画像形成装置２００又は画像形成装置３００に画像情報を送信する。画像形成装置２００又は画像形成装置３００は、画像情報を受信すると、画像をシートＳに形成する。ユーザーは、画像形成装置２００又は画像形成装置３００の所に行くことで、高画質の印刷画像が形成されたシートＳを取得することができる。
【００５２】
（２）本実施形態では、状態Ｙ１、状態Ｙ２又は状態Ｙ３の場合に、アイコン４０ａ'が縮小して表示された。ただし、アイコン４０ｂ'が強調されて表示されてもよい。図８は、本実施形態に係る操作画像４０Ｄを示す図である。図８に示すように、アイコン４０ｂ'が四角で囲まれて（強調されて）表示されている。その結果、ユーザーは、アイコン４０ａを押圧せずに、アイコン４０ｂ'を押圧することで、画像形成装置２００又は画像形成装置３００に画像情報を送信する。画像形成装置２００又は画像形成装置３００は、画像情報を受信すると、画像をシートＳに形成する。ユーザーは、画像形成装置２００又は画像形成装置３００の所に行くことで、高画質の印刷画像が形成されたシートＳを取得することができる。
【００５３】
（３）本実施形態では、状態Ｙ１、状態Ｙ２又は状態Ｙ３の場合に、アイコン４０ａ'が縮小して表示された。ただし、アイコン４０ｄ（第３所定画像）が表示されてもよい。アイコン４０ｄは、「ＳｅｎｄＴｏＭｅ」アイコンを示す。図９は、本実施形態に係る操作画像４０Ｅを示す図である。図９に示すように、アイコン４０ｄが表示されている。その結果、ユーザーは、アイコン４０ａを押圧せずに、アイコン４０ｄを押圧することで、画像形成装置２００又は画像形成装置３００に画像情報を送信する。画像形成装置２００又は画像形成装置３００は、画像情報を受信すると、画像をシートＳに形成する。ユーザーは、画像形成装置２００又は画像形成装置３００の所に行くことで、高画質の印刷画像が形成されたシートＳを取得することができる。
【００５４】
（４）本実施形態では、取得部１４は、ネットワークＮに接続された画像形成装置２００及び画像形成装置３００の全てから各種のデータを受信した。ただし、取得部１４は、ユーザーが移動することが可能な所定範囲に存在する画像形成装置として登録した画像形成装置のみから各種のデータを受信してもよい。所定範囲に存在する画像形成装置は、例えば、同じフロアに存在する画像形成装置のみ、又は、同じビルに存在する画像形成装置のみである。ユーザーは、データを送信した画像形成装置の所に容易に行くことができる。
【００５５】
（５）図１〜図９を参照して説明した画像形成装置１００は、電子写真方式の複合機であったが、本発明はこれに限られない。画像形成装置１００は、例えば、インクジェット記録方式の複合機であってもよい。画像形成装置１００は、消耗品ＣＴを消費動作で消費する構成でありさえすればよい。例えば、インクジェット記録方式の複合機の場合、交換部品Ｃはインクカートリッジであり、消耗品ＣＴはインク（例えば、ブラック色）である。画像形成ユニット８０は、記録ヘッドを含む。
【産業上の利用可能性】
【００５６】
本発明は、画像形成装置の分野に利用可能である。
【符号の説明】
【００５７】
１０    制御部
１１    画像形成部
１２    作成部
１３    表示制御部
１４    取得部
２１    装着部
３０    表示部
１００    画像形成装置
２００    画像形成装置
３００    画像形成装置
Ｃ      交換部品
Ｃ１    第１交換部品
Ｃ２    第２交換部品
Ｎ    ネットワーク
【図１】
2020023099.tif 000003
【図２】
2020023099.tif 000004
【図３】
2020023099.tif 000005
【図４】
2020023099.tif 000006
【図５】
2020023099.tif 000007
【図６】
2020023099.tif 000008
【図７】
2020023099.tif 000009
【図８】
2020023099.tif 000010
【図９】
2020023099.tif 000011